(57)【要約】      （修正有）【課題】砂状物質上に配置するためのマット。【解決手段】マット１が第１層２を下側にして砂５の上に置かれると、第１層２の下部表面を上向きに通過するいかなる砂も第１層２と第２層３との間に保持される。第２層３の上部表面上に落ちそしてそれを通過するいかなる砂も第１層２と第２層３との間に保持される。場合により、ポリ塩化ビニル被覆ナイロンメッシュ材料から製造された第３層７を第２層３の上に配置することができ、そして各層２、３の周囲はオーバーラッピングテープ４により共に固定されている。第３層の上部表面はスリーン印刷されることができる。第３層の上部表面上に落ちるいかなる砂もその層を通過しそして第２層３も通過して第１層２と第２層３との間に保持される。【選択図】図１
2008259871.tif 000002
【特許請求の範囲】
【請求項１】
砂上に置くのに使用するためのマットであって、
上部表面と下部表面を有する第１層を含み、該第１層は、該下部表面が砂と接触しているとき該第１層を砂が通過するのを許容するようになっており、そして
上部表面と下部表面を有する少なくとも第２層を含み、該第２層は該第２層の該上部表面上に落ちてそれを通過することができるいかなる砂も通過することを許容するようになっており、
該第１層と該第２層はそれぞれメッシュ形状であり、それぞれの層の開口が実質的に互いに重ならないように該第２層が実質的に該第１層の上に配置されており、該第２層の該上部表面及び／又は該第１層の該下部表面を通過したいかなる砂も該第１層と該第２層との間に保持する、
マット。
【請求項２】
粒状物質上に置くのに使用するためのマットであって、
上部表面と下部表面を有する第１層を含み、該第１層は、該下部表面が該粒状物質と接触しているとき該第１層を該粒状物質が通過するのを許容するようになっており、そして
上部表面と下部表面を有する少なくとも第２層を含み、該第２層は該第２層の該上部表面上に落ちてそれを通過することができるいかなる該粒状物質も通過することを許容するようになっており、
該第１層と該第２層はそれぞれ約７０％のシェード等級を有するメッシュ形状であり、それぞれの層の開口が実質的に互いに重ならないように該第２層が実質的に該第１層の上に配置されて、該第２層の該上部表面及び／又は該第１層の該下部表面を通過したいかなる該粒状物質も該第１層と該第２層との間に保持する、
マット。
【請求項３】
単一の該第２層が存在する請求項１または２に記載のマット。
【請求項４】
上部表面と下部表面上を有する実質的に該第２層の上に配置されたメッシュ形状の第３層を更に含み、該第３層は該第３層の上部表面上に落ちてそれを通過することができるいかなる砂も通過を許容するようになっている請求項１に記載のマット。
【請求項５】
上部表面と下部表面上を有する実質的に該第２層の上に配置された約７０％のシェード等級を有するメッシュ形状の第３層を更に含み、該第３層は該第３層の上部表面上に落ちてそれを通過することができるいかなる粒状物質も通過を許容するようになっている請求項２に記載のマット。
【請求項６】
該メッシュ形状が柔軟性材料により与えられる請求項１〜５に記載のマット。
【請求項７】
該柔軟性材料がプラスチック材料である請求項６に記載のマット。
【請求項８】
該第１層及び第２層の各々がポリプロピレンから製造される請求項１〜５のいずれか１つに記載のマット。
【請求項９】
該第３層がその該上部表面におけるスクリーン印刷を受け入れるようになっている請求項４または５に記載のマット。
【請求項１０】
該第３層がナイロンから製造される請求項９に記載のマット。
【請求項１１】
該第３層がポリ塩化ビニル被覆ナイロンから製造される請求項１０に記載のマット。
【請求項１２】
該第１層が該第２層及びいかなる他の層にも層の各々の周囲において固定されている請求項１〜１１のいずれか１つに記載のマット。
【発明の詳細な説明】
【技術分野】
【０００１】
本発明はマットに関する。特に、決して限定するものではないけれども、本発明は砂及び同様な粒状物質上に配置するためのマットを指向する。
【背景技術】
【０００２】
水泳、日光浴及び同様な娯楽のためにビーチに行くことは、特に暑い気候において一般に普及したレクリエーション活動である。参加者は砂の上にすわり、横たわり、あるいはその他の方法でくつろぐ必要がある。通常、タオルを最初に地上に置いて人を砂から保護する。しかしながら、特に皮膚が濡れているならば、人の皮膚にくっついていた砂は次いで乾燥しそして人から落ちてタオルの上部表面に残り、かくしてタオルをその上に座ったり横たわったりするのを不快にする。同様に、風の吹く状態では、砂はタオル上に吹き付けられる。振とうによりこの砂を除去しようとしてタオルを周期的に持ち上げることは必ずしも全体的に満足すべきものではない。何故ならば、タオルはしばしば濡れているか又は少なくとも湿気がありそして砂はタオル繊維にくっついているからである。結果として、タオルを乾かしてその後の再使用は人間にとって最も善くても快適ではない。何故ならば皮膚の上の水を吸い取ることを試みている間、タオル上に残っている砂が皮膚の上にこすり付けられるからである。
【０００３】
従来のタオルのこの欠点に対する部分的解決法は、砂の上に最初にアンダークロスを置き、ついでタオルをこのアンダークロスの上におくことである。最近のよく普及しているアンダークロスは、マット状形状に一緒に縫い付けられた竹又は同様な籐状（ｃａｎｅ−ｌｉｋｅ）材料の横ストリップ（ｌａｔｅｒａｌ  ｓｔｒｉｐｓ）から形成されたものであった。相対的に広いストリップは砂がそれを上向きに通過するのを阻止するのに寄与するが、そのストリップ状形状の性質はストリップ間の有意な空間を残し、これは或る量の砂がそれを通過し、その結果その後その上に置かれたタオルの下側にくっつくことを依然として許容する。
【０００４】
この欠点を少なくとも部分的に解決しようとする別の試みは特許文献１に開示されており、この特許文献１においては、２層のマットが記載されており、上部層は砂が通過することができる目の荒い織り（ｏｐｅｎ  ｗｅａｖｅ）の材料から作られており、下部層は上部層を通過するいかなる砂も保持するための密織（ｔｉｇｈｔ  ｗｅａｖｅ）材料から作られている。しかしながら、この密織下部層はタオル地綿布（ｔｅｒｒｙｃｌｏｔｈ  ｃｏｔｔｏｎ）から製造されており、従って下部層の下側に砂が付着するという欠点をやはり受ける。
【特許文献１】ＵＳ５，０１８，２３０
【発明の開示】
【発明が解決しようとする課題】
【０００５】
それ故、本発明の一般的目的は、１つ又はそれより多くの上記欠点を克服し、又は少なくとも改善することである。
【課題を解決するための手段】
【０００６】
本発明に従えば、粒状物質上に置くのに使用するためのマットであって、
上部表面と下部表面を有する第１層を含み、該第１層は、該下部表面が該粒状物質と接触しているとき該第１層を該粒状物質が通過するの許容するようになっており、そして
上部表面と下部表面を有する少なくとも第２の層を含み、該第２層は該第２層の該上部表面上に落ちてそれを通過することができるいかなる該粒状物質も通過することを許容するようになっており、
該第２層は実質的に該第１層の上に配置されて、該第２層の該上部表面及び／又は該第１層の該下部表面を通過したいかなる該粒状物質も該第１層と該第２層との間に保持する、マットが提供される。
【０００７】
該マットの１つの態様では、単一の該第２層が存在する。
【０００８】
該マットの第２の態様では、上部表面と下部表面上を有する実質的に該第２層の上に配置された第３層が更に含まれ、該第３層もまた該第３層の上部表面上に落ちてそれを通過することができるいかなる該粒状物質も通過することを許容するようになっている。
【０００９】
好ましくは、該第１層、第２層及び第３層の各々はメッシュ状形状（ｍｅｓｈ−ｌｉｋｅ  ｃｏｎｆｉｇｕｒａｔｉｏｎ）である。
【００１０】
好ましくは、該第１層、該第２層及び該第３層の各々は柔軟性材料から製造される。
【００１１】
好ましくは、該柔軟性材料はプラスチック材料である。
【００１２】
好ましくは、該第１層及び第２層の各々はポリプロピレンから製造される。
【００１３】
好ましくは、該第３層はその該上部表面におけるスクリーン印刷を受け入れるようになっている。
【００１４】
好ましくは、該第３層はナイロンから製造される。
【００１５】
更に好ましくは、該第３層はポリ塩化ビニル被覆ナイロンから製造される。
【００１６】
好ましくは、第１層は該第２層及びいかなる該第３層にも該層の各々の周囲において固定されている（ｓｅｃｕｒｅｄ）。
【発明を実施するための最良の形態】
【００１７】
本発明の好ましい態様を添付図面を参照してこれから説明するであろう。
【００１８】
図１を参照すると、マット（１）は第２層（３）に固定された第１層（２）を含んでなる。各層（２、３）は柔軟性ポリプロピレンメッシュ材料から製造される。適当な柔軟性メッシュ材料は、約７０％のシェード等級（ｓｈａｄｅ  ｒａｔｉｎｇ）を有する多数の製造者によりシェードクロス（ｓｈａｄｅ  ｃｌｏｔｈ）として市販されているものである。各層（２，３）の周囲は所定の位置に縫い付けられているオーバーラッピングテープ（４）により共に固定される。
【００１９】
使用の際には、マット（１）が第１層（２）を下向きにして砂（５）の上に配置されるとき、第１層（２）の下部表面を上向きに通過するいかなる砂も第１層（２）と第２層（３）との間に保持される。同様に第２層（３）の上部表面上に落ちそしてそこを通過するいかなる砂も第１層（２）と第２層（３）との間に保持される。
【００２０】
理論により束縛さされることを望むものではないけれども、各層（２、３）のメッシュ状構造は、各層（２、３）が一緒に固定され、その結果砂（５）が単一方向においてのみ各層を通過することを許容するとき、各層（２、３）において対応する開口の重なりが実質的にないようなものであると考えられる。
【００２１】
図２に示されたマット（６）をここで参照すると、第１層（２）及び第２層（３）は正確に図１を参照して上記したとおりである。しかしながら、ポリ塩化ビニル被覆ナイロンメッシュ材料から製造された第３層（７）が第２層（３）の上に配置されておりそして各層（２、３、６）の周囲はオーバーラッピングテープ（４）により共に固定されている。第３層（７）の上部表面は当該技術分野で知られたいかなる手段によってもスクリーン印刷されてテキスト、図面、ロゴ、スローガン等（示されていない）を上部表面に塗布することができる。
【００２２】
使用に際しては、マット（６）が第１層（２）を下側にして砂（５）の上に置くと、第１層（２）の下部表面を上向きに通過するいかなる砂も第１層（２）と第２層（３）との間に保持される。第３層（７）の上部表面上に落ちるいかなる砂もその層を通過しそして第２層（３）も通過して第１層（２）と第２層（３）との間に保持される。
【００２３】
マット（１，６）はいかなる便利な寸法及び形状であってもよいことは認められるであろう。通常、ビーチマットとして使用されるとき、その形状は矩形でありそしてビーチタオル又は同様なものがその上に置かれることを許容するのに十分な寸法であろう。もちろん、マット（１、６）の寸法は２つ又はそれより多くのこのようなタオルに適合する（ａｃｃｏｍｏｄａｔｅ）ように広げることができる。同様に、より大きい寸法すらキャンパーのためのグラウンドカバーとして機能することができ、テントに砂又は土がつかないように保つことができる。
【００２４】
かくして、本発明は、タオルのためのアンダークロスとして機能していかなる砂もアンダークロスを通ってタオルへと通過するのを阻止することができ、それによりマットの上部層上に落ちるいかなる砂も通過落下してタオルに残らない、特別なしかし限定するものではないがビーチで使用されるマットを提供する。
【００２５】
当業者は、特許請求の範囲に規定された本発明の範囲から逸脱することなく前記したマットに対して修正及び変更を加えることができることが認められるであろう。
【図面の簡単な説明】
【００２６】
【図１】ビーチで使用されるべきマットの第１の態様の部分的分解略図である。
【図２】ビーチで使用されるベきマットの第２の態様の部分的分解略図である。
【図１】
2008259871.tif 000003
【図２】
2008259871.tif 000004